Podtech/llm-jp-corpus-v4-ja_patent huggingface dataset:
(57)【要約】【課題】  患者への投薬時、間違いなくかつ効率的に円滑に行える投薬表示シートおよび運搬カートを提供する。【解決の手段】  シート状の本体１００表面に、薬剤を収納できる４行８列で構成され、収納部１ａと収納部１ｂの２層より構成され収納部１を設け、収納部１の上段の行方向に、表示部２を設け、本体最上段には、投薬患者名や医療チーム名を示す、表示部３を設け、収納部１と列方向に相対する位置に、表示部４が設け、本体上部に吊下部６が設けたことを特徴とする投薬表示シート。【選択図】図１
2017012712.tif 000002
【特許請求の範囲】
【請求項１】
シート状の本体１００表面に、薬剤を収納できる４行８列で構成され、収納部１ａと収納部１ｂの２層より構成され収納部１を設け、収納部１の上段の行方向に、表示部２を設け、本体最上段には、投薬患者名や医療チーム名を示す、表示部３を設け、収納部１と列方向に相対する位置に、表示部４が設け、本体上部にシート本体短辺よりも短い長さの吊下部６を設けたことを特徴とする投薬表示シート。
【請求項２】
シート状本体背面に第二収納部を設けたことを特徴とする請求項１記載の投薬表示シート。
【請求項３】
収納袋６を各収納部１ａに挿抜可能な状態して使用することを特徴とする請求項１乃至２記載の投薬表示シート。
【請求項４】
底部にキャスターを有するカート７で、請求項１乃至３記載の投薬表示シートを１枚または複数枚吊下げた状態で移動可能はスライドレールを架設したことを特徴とした運搬カート。
【発明の詳細な説明】
【技術分野】
【０００１】  本発明は看護師が患者への投薬において、投薬済みか否かを管理するための投薬カレンダー、またそのカレンダーを運搬させるためのカートに関するものである。
【背景技術】
【０００２】  従来、薬を収納するために設けられた薬収納部の列数を、投薬日数より多く設けた投薬カレンダー（特許文献１）や、シート状の本体部の表面に、薬品を収容可能な複数の収容ポケットを備え、かつ、本体部上部には吊支部が形成されてなる壁掛け式の与薬袋を搭載可能な搬送用のカートであって、このカート本体には、これら複数の与薬袋を収容可能な収容部を形成して、この収容部の内部には吊支バーを架設して、この吊支バーを少なくとも当該収容部から引き出し自在に構成する一方、この吊支バーに前記与薬袋の吊支部を吊支可能にするとともに、前記カート本体の底部には、キャスター部材を配設して移動搬送可能にする発明が知られている（特許文献２）
【先行技術文献】
【特許文献】
【０００３】
【特許文献１】  特開２００１−２５８９９９号公報
【特許文献２】  実登３１５５８７８号公報
【発明の概要】
【発明が解決しようとする課題】
【０００４】  しかしながら、特許文献１では、収納ポケットの深さよりも小さい薬を収納した場合、取り出しにくい。また、特許文献２では収容部が囲われているため、作業性が損なわれる。また、吊支バーを引き出せる構造にしているが、実際の作業現場ではスペースが限られており、かつ、引き出すためにカートが倒れる危険性がある。
【課題を解決するための手段】
【０００５】  シート状の本体１００表面に、薬剤を収納できる４行８列で構成され、収納部１ａと収納部１ｂの２層より構成され収納部１を設け、収納部１の上段の行方向に、表示部２を設け、本体最上段には、投薬患者名や医療チーム名を示す、表示部３を設け、収納部１と列方向に相対する位置に、表示部４が設け、本体上部にシート本体短辺よりも短い長さの吊下部５を設けたことを特徴とする投薬表示シート。
【発明の効果】
【０００６】  患者に誤投薬することを防ぎ、複数人の患者の薬を同時に運搬可能となる。
【図面の簡単な説明】
【０００７】
【図１】  本発明のシート本体を示す正面図
【図２】  Ａ−Ａ断面図
【図３】  収納部１の詳細を示す拡大図
【図４】  本発明のカート使用時の斜視図
【図５】  本体を吊下げるためのスライドレールを示す斜視図
【図６】  本発明のシート本体の背面図
【発明を実施するための形態】
【０００８】  以下、本発明の実施の形態について説明する。
シート状の本体１００表面に、薬剤を収納できる第一収納部１を設け、背面に第二収納部を設ける。
第一収納部１は４行８列で構成されている。また、第一収納部１は収納部１ａと収納郎１ｂの２層より構成される。いずれも上部に開口部を設け、左右両辺および下辺が本体と接着固定されている。なお、収納部１ａと収納部１ｂは前方にある収納部１ｂの開口部の方が、収納部１ａの開口部よりも低い位置で設けられている。
【０００９】  第一収納部１の上段の行方向に相対する位置に、たとえば「朝」、「昼」、「晩」、「寝る前」のような投薬のおおよその時間を表示する表示部２を設ける。表示部２は上部に開口部があり、左右両辺および下辺が本体と接着固定されている。本体最上段には、投薬患者名や医療チーム名を示す、表示部３が設けられている。
【００１０】  本体背面には、第二収納部を１つまたは２つシート長手方向に間隔をあけて設ける。上部に開口部を設け、シートに接着固定している。この第二収納部にはカルテ等を収納しておく。
【００１１】  収納袋６は収納部１ａに挿抜可能な状態して使用する。通常小さい錠剤をそのまま、深さのある第一収納部１に直接入れてしまうと、取出すことに手間取ってしまい、作業の効率を妨げてしまうが、この収納袋６は患者に錠剤を渡す時でも、簡単に取り出すことが可能となる。
【００１２】  第一収納部１と列方向に相対する位置に、曜日や日にちを表示するための、表示部４が設けられている。表示部４は、表示部４ａおよび表示部４ｂを区切られており、連続して設けられている。表示部４の開口部は側面に設けてある。
【００１３】  本体上部には吊下部５が設けられている。ここで示す、吊下部５は本体の上端に硬質の支軸を通して、その両端から紐を設けたものや、支軸の中央に孔を設けたもの、またはその両方を備えたものを示す。吊下部５は、本体の短辺よりも短く設定している。このため、カートに複数の本体を装着したとき、シート端末がめくれる量が増えるため、より省スペースでの作業を可能としている。
【００１４】  カート７は、底部にキャスターを有するカートで、本体を吊下げた状態で移動可能となる。また、上部には本体を吊下げられる、スライドレールを架設しており、そのスライドレール内を移動する回転自在なフックが設けられており、本体上部に設けた吊下部５をそのフックに引掛けて使用することが出来る。またスライドレールの両端は解放されており、支柱などが存在せず、作業効率の向上になる。
【００１５】  本発明は以上のような構造で、使用するときは、カート７のスライドレールに複数の本体を引掛けて、各病室まで移動させて使用する。また、本体の収納部には患者にあった薬剤を事前に収容しておく。
【符号の説明】
【００１６】１００  本体
１  第一収納部
２，３，４  表示部
５  吊下部
６  収納袋
７  カート
８  第二収納部
【図１】
2017012712.tif 000003
【図２】
2017012712.tif 000004
【図３】
2017012712.tif 000005
【図４】
2017012712.tif 000006
【図５】
2017012712.tif 000007
【図６】
2017012712.tif 000008
(57)【要約】【課題】魚の血抜きをしてしめる為に用いられているしめ具はナイフを使用したりナイフの形状をしたものだが、魚が暴れたナイフを弾かれることがあり危険であったり、狙った１本の血管だけを切断することが出来なかった。【解決手段】しめ具のシャフト上部に握れる部分をＴ字状に設ける。握れる部分は例えばシャフト上部に設けられたグリップ１である。グリップ１の働きでしっかり握りしめることが出来る。また、しめ具のシャフト最下部だけをＶ字の刃にする。刃は例えばシャフト下部のＶ字の刃３である。Ｖ字の刃３の働きで狙った１本の血管だけを切断することが出来る。【選択図】図１
2017012706.tif 000002
【特許請求の範囲】
【請求項１】
血抜きに用いるしめ具に握れる部分（グリップ）をシャフトに対してＴ字状に設け、シャフト最下部にＶ字の刃を設けた事を特徴とする血抜き用しめ具。
【発明の詳細な説明】
【技術分野】
【０００１】  この発明は、魚をしめる時の血抜きに用いる道具の形状に関する。
【背景技術】
【０００２】  従来の血抜きに用いる道具はナイフやナイフ形状の道具になっている。
【発明の概要】
【発明が解決しようとする課題】
【０００３】  しかしながら、以上の技術によれば、ナイフは刃渡りが長い形状なので魚が激しく暴れた場合、自分の手を切ってしまったり、魚にナイフを弾き飛ばされ周囲の者にも危険が及ぶことがあった。
また、ナイフは刃渡りが長い形状なので１本の血管だけを切ることが出来ず血抜きを効率的に出来なかった。
そこで、この発明は、安全かつ切断しようとする１本の血管だけを切断し効率的に血抜きが出来ることを課題とする。
【課題を解決するための手段】
【０００４】  以上の課題を解決するために、握りやすくする部分と切断しやすくする部分を設けた事を特徴とする血抜き用しめ具である。
【発明の効果】
【０００５】  この発明によれば、握る部分（グリップ）を設けＴ字状にし、しめ具最下部をＶ次の刃にしたので、安全かつ効率よく血抜きが出来る。
【図面の簡単な説明】
【０００６】
【図１】この発明の一実施形態の正面図である。
【図２】この発明の一実施形態の側面図である。
【発明を実施するための形態】
【０００７】  この発明の一実施形態を、図１および図２に示す。
しめ具本体はステンレス製またはチタン製であり、このしめ具の上部にはグリップ１がありシャフト２の先端にＶ字の刃３が一体的に設けられている。
【実施形態の効果】
【０００８】  この実施形態によれば、血抜きをする為にＶ字の刃３を魚ののエラの隙間から血管に刺していく時、グリップ１があることによってシャフト２を指で挟んでしっかり握りしめることができ、魚が暴れても、しめ具本体を弾き飛ばされずらい。ナイフ形状の様にシャフト２を指で挟めない状態では暴れる魚にしめ具が弾き飛ばされやすくなるので安全に血抜きができない。
また、Ｖ字の刃３は最下部だけが刃になっているので、切断しようとする１本の血管だけを切断できるが、Ｖ字の刃３がなくナイフ形状をしたものでは刃渡りが長く１本の血管だけを切断できず他の場所も傷つけてしまう。
【符号の説明】
【０００９】１  グリップ    ２  シャフト    ３  Ｖ字の刃
【図１】
2017012706.tif 000003
【図２】
2017012706.tif 000004
(57)【要約】      （修正有）【課題】ゴミをちりとりでとってゴミ袋等へ放り込む手間を省くため又、落葉等をちりとりでとってゴミ袋等へ放り込む際、風等で吹き飛ばされることを防ぐために、ちりとりにゴミ袋を装着しておき、このゴミ袋が破れないよう保護機能を設けたちりとりを提供する。【解決手段】ゴミ、落葉等受け入れちり取り口２にゴミ袋７を装着し、箒等でゴミや落葉を掃きとると同時に装着ゴミ袋７に収納し、装着ゴミ袋７が破れないようにゴミ袋保護機能として、ちりとり１の装着ゴミ袋調節用区分溝４に区分板５をさしこみゴミ袋より少し短めに本体を設定し、ここへ装着するゴミ袋７をゴミ受け入れちりとり口２から入れて装着ゴミ袋の開口部８が本体のゴミ受け入れちりとり口２にくるようにし、ゴミ受け入れちり取り口２で装着ゴミ袋開口部８を少し外側へ折り返しフック付伸縮物９、１０、１１で固定装着した。【選択図】図１
2017012707.tif 000002
【特許請求の範囲】
【請求項１】
ゴミ、落葉等受け入れちりとり口（２）にゴミ袋を装着（７）し、ゴミや落葉を箒等で掃きとると同時に装着ゴミ袋（７）に収納し、装着ゴミ袋（７）が破れないよう保護機能（１）（２）（３）（４）（５）を設けた「ゴミ袋保護機能付、ゴミ袋装着式ちりとり」。
【発明の詳細な説明】
【技術分野】
【０００１】本発明は、ゴミをちりとりでとってゴミ袋等へ放り込む手間を省くため又、落ち葉等をちりとりでとってゴミ袋等へ放り込む際、風等で吹き飛ばされることを防ぐため、前もって、ちりとりにゴミ袋を装着しておき、このゴミ袋が破れないよう保護機能を設けた「ゴミ袋保護機能付、ゴミ袋装着式ちりとり」に関するものである。
【背景技術】
【０００２】従来、ちりとりには、ゴミ袋は装着されておらず、ゴミ袋を簡単に着脱させたり、ゴミ袋を保護する機能は不充分であった。
【先行技術文献】
【特許文献】
【０００３】
【特許文献１】特開      −      号公報
【発明の概要】
【発明が解決しようとする課題】
【０００４】これには次のような欠点があった。
（イ）従来、ちりとりには、ゴミ袋は装着されておらず、ゴミをちりとりでとってゴミ袋等へ放り込む手間がかかったり又、落ち葉等をちりとりでとってゴミ袋等へ放り込む際、風等で吹き飛ばされたりして、ゴミ掃除は手間がかかった。
（ロ）ゴミ袋を保護する機能が不充分でゴミ掃除中にゴミの重力や外力によりゴミ袋が破れる等してゴミ掃除は手間がかかった。
本発明は以上のような欠点をなくすためになされたものである。
【課題を解決するための手段】
【０００５】ゴミ、落葉等受け入れちり取り口（２）にゴミ袋を装着（７）し、箒等でゴミを掃きとると同時にこの装着ゴミ袋（７）に収納し、装着ゴミ袋（７）が破れないよう、装着するゴミ袋（７）に応じて「ゴミ袋保護機能付、ゴミ袋装着式ちりとり」（以後本体と呼ぶ）（１）の装着ゴミ袋調節用区分溝（４）に区分板（５）をさしこみゴミ袋より少し短めに本体を設定し、ここへ装着するゴミ袋（７）をゴミ受け入れちりとり口（２）から入れて、装着ゴミ袋の開口部（８）が本体のゴミ受け入れちりとり口（２）にくるようにし、ゴミ受け入れちり取り口（２）で装着ゴミ袋開口部（８）を少し外側へ折り返しフック付伸縮物（ゴム紐等）（９）（１０）（１１）で固定装着して使用する。
本発明は以上の構成よりなる「ゴミ袋保護機能付、ゴミ袋装着式ちりとり」である。
【発明の効果】
【０００６】（イ）「ゴミ袋保護機能付、ゴミ袋装着式ちりとり」には、ゴミ受け入れちりとり口（２）にゴミ袋（７）が装着されているので、ゴミをちりとりでとってゴミ袋等へ放り込む手間が省ける、又落ち葉等をちりとりでとってゴミ袋等へ放り込む際、風等で吹き飛ばされることを防ぐことができ、しかもゴミ袋を簡単に着脱させる機能（９）（１０）（１１）が付いているのでゴミ掃除が簡単になる。
（ロ）「ゴミ袋保護機能付、ゴミ袋装着式ちりとり」には、ゴミ受け入れちりとり口（２）にゴミ袋（７）が装着され、この装着したゴミ袋（７）を保護する機能（１）（２）（３）（４）（５）が付いているのでゴミ掃除中にゴミの重力や外力により装着ゴミ袋（７）が破れる等無く、ゴミ掃除が簡単になる。
【図面の簡単な説明】
【０００７】
【図１】本発明の分解斜視図である。
【図２】本発明の装着図である。
【図３】本発明の本体斜視図である。
【発明を実施をするための形態】
【０００８】以下、発明を実施をするための形態について説明する。
本体（１）は、円筒を軸方向の中心線で切ったような形状、即ちトンネル形をしている。この一端は頂上部（背）が短くなるような斜めに切った形状をしておりここがゴミ受け入れちりとり口（２）になる、もう一端はまっすぐ切って塞いだ状態（３）でこの近くの頂上部（背）に、装着ゴミ袋を保護することを目的として、装着するゴミ袋に応じて本体を少し短く設定するための、装着ゴミ袋調節用区分溝（４）を設け区分板（５）を差し込む。本体は一例としてプラスチックのメッシュ製にして軽くし、頂上部には持ち運び用の取手（６）をつける。
本発明は以上のような構造である。
本発明を使用するときは、装着するゴミ袋に応じて「ゴミ袋保護機能付、ゴミ袋装着式ちりとり」（１）の装着ゴミ袋調節用区分溝（４）に区分板（５）をさしこみ、本体を装着のゴミ袋より少し短めに設定し、ここへ本体のゴミ受け入れちり取り口（２）から装着ゴミ袋（７）の開口部（８）がゴミ受け入れちり取り口（２）にくるようゴミ袋を入れ、ゴミ受け入れちり取り口（２）でゴミ袋開口部（８）を少し外側へ折り返しフック付伸縮物（ゴム紐等）（９）（１０）（１１）で固定装着して使用する。箒等でゴミ、落葉等受け入れちりとり口（２）から掃き入れ同時に収納しながら移動し、装着ゴミ袋（７）がゴミで満たされたら、フック付伸縮物（ゴム紐等）（９）（１０）（１１）をはずし、本体のゴミ受け入れちり取り口（２）からゴミで満たされたゴミ袋（７）を引き出し、新しいゴミ袋と交換する。順次これを繰り返しゴミ掃除を進める。ゴミや落葉をゴミとして捨てず移動したい場合は、本体（１）（２）（３）（４）（５）（６）にゴミ袋（７）（８）は装着せず従ってフック付伸縮物（９）（１０）（１１）は使用しないで本体だけを使用する。
【符号の説明】
【０００９】１「ゴミ袋保護機能付、ゴミ袋装着式ちりとり」の本体
２ゴミ、落葉等受け入れちりとり口（開口部）
３ゴミ、落葉等受け入れちりとり口の反対側（閉塞部）
４装着ゴミ袋調節用区分溝
５区分板
６取手
７本体内部に装着するゴミ袋
８本体内部に装着するゴミ袋の開口部
９伸縮物（一例としてゴム紐）
１０伸縮物とフックの接続部
１１フック
【図１】
2017012707.tif 000003
【図２】
2017012707.tif 000004
【図３】
2017012707.tif 000005
(57)【要約】  【課題】大きさ、形状、硬さの違う様々な食材を一度に掴む事が出来、更に今まで掴む事が困難であった食材を簡単に掴む事が出来る箸を提供する。  【解決手段】２本からなる箸の食べ物摘み部１の先端を平面にし、食材を摘まむ摘み部を従来の２点で摘まむのでは無く２面で摘まめる様にした。【選択図】図１
2017012492.tif 000002
【特許請求の範囲】
【請求項１】
長手方向の先端部分を食べ物摘み部、長手方向の基端部側を持ち手部とし、持ち手部  から食べ物摘み部の先端に行くに従い二面だけが先細りとなり他の二面が平面と成る箸であり、前記食べ物摘み部の平面と平面を使って食材を摘まむ事を特徴とした箸。
【発明の詳細な説明】
【技術分野】
【０００１】
本発明は、特別な食材を食する箸ではなく、普段の食事で使用する箸に関する。
【背景技術】
【０００２】
広く使用されている箸は、食べ物摘み部が滑りやすくそれを補う為に箸の先端部分に微細な凹凸を施した特許文献１、２（実願２０１３−２１７，特願２０１０−１２４４５１号公報）の様な箸も考案されているが、食材の形状によっては対応しきれていなかった。
【先行技術文献】
【特許文献】
【０００３】
【特許文献１】実願２０１３−２１７号
【特許文献２】特願２０１０−１２４４５１号
【発明の概要】
【発明が解決しようとする課題】
【０００４】
本発明は、箸の食べ物摘み部の表面に滑り止めのための微細な加工を施さなくても  食材の形状に関わらず食べ物を確実に摘まめる様にした摘み部を持つ箸を提供するものである。
【課題を解決するための手段】
【０００５】
このような課題を解決するため、本発明は、長手方向の先端部分を食べ物摘み部、長手方向の基端部側を持ち手部とし、持ち手部側から先端に行くに従い二面だけ先細りとなり他の二面が平面と成る箸であり、前記食べ物摘み部の平面と平面を使って食材を摘まめる様にした箸を提供する。
【発明の効果】
【０００６】
本発明によれば、箸の食べ物摘み部の表面に滑り止めのための微細な加工を施さなくても、食べ物を確実に摘まめる箸を提供出来る。これによって、箸の苦手な人にも特に普段箸を使わない外国の人でも簡単に箸で食事が出来る様になる。
【図面の簡単な説明】
【０００７】
【図１】本発明のー実施形態に係わる箸の側面図である。
【図２】本発明のー実施形態に係わる箸の図１を９０度傾けた側面図である。
【発明を実施するための形態】
【０００８】
以下、本発明に係わる実施形態を図面に従って説明するが、本発明はこの実施形態に限定されるものではない。なお、図面の通り二面の平面を持つ箸二本を一対として使用される箸である。
【０００９】
この図１の実施形態に示した箸は、長手方向の先端部分を食べ物摘み部１、長手方向の基端末部側を持ち手部２とし、持ち手部２側から食べ物摘み部１の先端に行くに従い二面だけ先細りとなり他の二面だけが平面と成る箸であり、前記食べ物摘み部の平面と平面を使って食材を摘まめる様にした箸である。
【００１０】
箸の材質としては、金属でもプラスチック、木材でもよいが、本実施形態では加工のし易いパイン材を使用している。
【００１１】
以上の通り、図面を参照しながら本発明の好適な実施形態を説明したが、本発明の趣旨を逸脱しない範囲内で、種々の追加、変更または削除が可能である。したがって、その様な物も本発明の範囲内に含まれる。
【産業上の利用可能性】
【００１２】
本発明によれば、箸の苦手な人にも特に普段箸を使わない外国の人でも簡単に箸で食事が出来る様になる為、和食の海外普及に貢献できる。
【符号の説明】
【００１３】
１平面箸の食べ物摘み部
２平面箸の持ち手部
【図１】
2017012492.tif 000003
【図２】
2017012492.tif 000004
(57)【要約】 【課題】衣類を干す際に、おもて面の日焼けを防ぐ目的で、衣類の裏表を逆にして干す裏干しが行われることがあったが、上着を裏干しする際に首周りの開口部によりおもて面が日焼けしてしまうという課題があった。また、首周りの開口部が大きい衣類の場合、従来のハンガーの内側に遮光部を設けるだけでは遮光部が十分ではなく、肩の部分を支持する部分（以下、肩部支持部）を長くとる必要性が生じることがある。【解決手段】課題を解決するための本発明のハンガーは、ハンガーを吊り下げた際に、肩部支持部２ａの幅が最も広くなる点から水平に引いた線４ａより、下に突出するように遮光部１ａを構成することを特徴としている。【選択図】図３
2017012470.tif 000002
【特許請求の範囲】
【請求項１】
衣類を干すためのハンガーであって、
遮光部を具備することを特徴とする、ハンガー。
【請求項２】
請求項１記載のハンガーであって、
ハンガーを吊り下げた際に、肩部支持部の幅が最も広くなる点から水平に引いた線より、下に突出するように遮光部を構成することを特徴とする、ハンガー。
【発明の詳細な説明】
【技術分野】
【０００１】
本発明は、主に、衣類を干すハンガーに関するものである。
【背景技術】
【０００２】
衣類を干す物としてハンガーがあり、用途によって様々な形状の物がある。（非特許文献１）
【先行技術文献】
【非特許文献】
【０００３】
【非特許文献１】SHINKO hanger、家庭用ハンガー、[online]、平成27年6月26日、SHINKO hanger、インターネット＜URL:http://www.hanger-net.co.jp/products/products_01＞
【発明の概要】
【発明が解決しようとする課題】
【０００４】
衣類を干す際に、おもて面の日焼けを防ぐ目的で、衣類の裏表を逆にして干す裏干しが行われることがあったが、上着を裏干しする際に首周りの開口部によりおもて面が日焼けしてしまうという課題があった。
【０００５】
首周りの開口部が大きい衣類の場合、従来のハンガーの内側に遮光部を設けるだけでは遮光部が十分ではなく、肩の部分を支持する部分（以下、肩部支持部）を長くとる必要性が生じることがある。
【課題を解決するための手段】
【０００６】
課題を解決するための請求項1記載のハンガーは、遮光部を具備することを特徴としている。
【０００７】
課題を解決するための請求項２記載のハンガーは、請求項１記載のハンガーであって、
ハンガーを吊り下げた際に、肩部支持部の幅が最も広くなる点から、水平に引いた線より、下に突出するように遮光部を構成することを特徴としている。
【発明の効果】
【０００８】
上述したように本発明のハンガーは、首周りの開口部による日焼けを、遮光部によって防ぐことができる。
【０００９】
上述したように本発明のハンガーは、下に突出した遮光部を具備しており、肩部支持部の長さを長くとらずとも遮光性能を十分にとることができる。
【図面の簡単な説明】
【００１０】
【図１】遮光部を具備するハンガーの一例
【図２】遮光部を具備するハンガーの一例
【図３】下に突出した遮光部を具備するハンガーの一例
【図４】下に突出した遮光部を具備するハンガーの一例
【図５】下に突出した遮光部を具備するハンガーの一例
【図６】下に突出した遮光部を具備するハンガーの一例
【図７】遮光部の効果範囲の比較（図１、図３の比較）
【発明を実施するための形態】
【００１１】
衣類の肩の部分を支えるための肩部支持部２ａと、ハンガー本体を吊り下げるための吊り下げ部３ａと、光を遮るための遮光部１ａと、から、ハンガーを構成する。図１、図２、図３、図４、図５、図６、図７、は遮光部１ａを具備するハンガーの一例であり、ハンガーの形状を限定するものではなく、三角形や四角形などの多角形、円形、半円形、など、遮光部１ａを具備し遮光性を有すれば良い。
【００１２】
説明の便宜上ハンガーを吊り下げた際の地面方向を下として説明する。
【００１３】
遮光部１ａは、肩部支持部２ａの下に具備する。
【００１４】
肩部支持部２ａ、吊り下げ部３ａ、を構成する素材は例えば、木（竹を含む）、合成樹脂、プラスチック、金属、天然樹脂、などの従来のハンガーに用いられている素材で構成すればよく素材を限定するものではない。
【００１５】
遮光部１ａ、を構成する素材は例えば、木（竹を含む）、合成樹脂、天然樹脂、金属、布、などから遮光性のある周知の素材で構成すればよく素材を限定するものではない。木(竹を含む)、合成樹脂、天然樹脂、金属、などを遮光部１ａに用いる場合、遮光性を失わない範囲で、薄い板状もしくはシート状に構成することが望ましい。布の場合、遮光性を向上するためにUV（紫外線）カットの加工を施すことがより望ましい。UVカットの加工方法は周知の物が多くあり、UVカットの加工方法は本発明の特徴とする部分では無く説明を省略するが最適な物を用いれば良い。遮光部１ａの形状は限定するものではなく、三角形や四角形などの多角形、円形、半円形、など、遮光性を有する形状であれば良い。
【実施例１】
【００１６】
発明を実施するための形態記載のハンガーにおいて、ハンガーを吊り下げた際に肩部支持部２ａの幅が最も広くなる点から水平に引いた線４ａ、より下に突出するように遮光部１ａを構成する。図３、図４、図５、図６、は、この場合の一例の図である。遮光部１ａの突出部分の形状は限定するものではなく、三角形や四角形などの多角形、円形、半円形、など、遮光性を有する形状であれば良い。
【００１７】
図７は、肩部支持部２ａを同じ長さにした場合の、遮光部を具備するハンガー図１と、下に突出した遮光部を具備するハンガー図２と、の上着５ａの開口部（首周り）５ｂに対する効果範囲（遮光部１ａ）を比較した図である。図７では肩部支持部２ａの長さと効果範囲がわかり易いようにハンガーを透過した図としている。
【符号の説明】
【００１８】
１ａ  遮光部
２ａ  肩部支持部
３ａ  吊り下げ部
４ａ  水平に引いた線
５ａ  上着
５ｂ  開口部（首周り）
【図１】
2017012470.tif 000003
【図２】
2017012470.tif 000004
【図３】
2017012470.tif 000005
【図４】
2017012470.tif 000006
【図５】
2017012470.tif 000007
【図６】
2017012470.tif 000008
【図７】
2017012470.tif 000009
(57)【要約】      （修正有）【課題】従来のＡＴ自動車は、踏み間違え事故防止の対策がされてないこと。【解決手段】ＡＴ自動車用踏み間違え事故防止装置は、ＡＴ自動車の普及に伴なうブレーキペダルとアクセルペダルの踏み間違え事故に対応するため、アクセルペダルに取り付ける踏み間違え事故防止装置１は、アクセルペダル３の支柱部分の下部にボルト止めすることにより簡易に取り付けることができ、ブレーキペダルに取り付ける踏み間違え事故防止装置２は、ブレーキペダル４（ａ）の支柱部分の下部に分岐するペダル４（ｂ）をボルト止めすることにより簡易に取り付けることができる。【選択図】図１
2017117419.tif 000002
【特許請求の範囲】
【請求項１】
ＡＴ自動車のブレーキペダルとアクセルペダルの踏み間違え事故に対応して、踏み間違え事故防止装置をアクセルペダルとブレーキペダルに簡易に取り付けることで錯誤や咄嗟の時に踏み間違えによる急発進や急加速による事故を防止する機能を備えた事故防止装置としての特徴をもつＡＴ自動車用踏み間違え事故防止装置。
【発明の詳細な説明】
【技術分野】
【０００１】  本願発明は、ＡＴ自動車のブレーキペダルとアクセルペダルの踏み間違え事故を防止するためアクセルペダルに高反発素材の事故防止装置を取り付けることにより、急発進や急加速による事故を防止するためのＡＴ自動車用踏み間違え事故防止装置に関するものである。尚、本願の説明において、ＡＴ自動車用踏み間違え事故防止装置と踏み間違え事故防止装置とは同義語であって、以下の説明では、本願のＡＴ自動車用踏み間違え事故防止装置を単に踏み間違え事故防止装置と表現することがある。
【背景技術】
【０００２】  ＡＴ自動車の普及に伴なうブレーキペダルとアクセルペダルの踏み間違え事故が多発するようになり従来のＡＴ自動車では、片足（右足）だけでブレーキペダルとアクセルペダルを交互に踏み分ける操作のため錯誤や咄嗟の時にアクセルペダルをブレーキペダルと間違えて強く踏み込むことにより暴走して人や建造物に追突する重大事故が起こり得る。【０００３】  又、従来のＡＴ自動車はブレーキペダルが右側に取り付けられているので咄嗟の時に、ＭＴ自動車のように左足でブレーキペダルを踏み込むことが困難な構造のために急発進や急加速による重大事故に繋がる危険が有り得る。
【先行技術文献】
【０００４】
【特許文献】
【特許文献】特開２０１１−０９０６５３号公報
【発明の概要】
【発明が解決しようとする課題】
【０００５】  本願発明は、ＡＴ自動車の普及に伴なうブレーキペダルとアクセルペダルの踏み間違え事故を防止するために、アクセルペダルとブレーキペダルに取り付ける踏み間違え事故防止装置を提供することを目的としている。
【課題を解決するための手段】
【０００６】  本願発明は、上記課題を解決するための手段として次の構成を有している。
尚、本願発明はブレーキペダルとアクセルペダルの踏み間違え事故発生時に適用するＡＴ自動車用踏み間違え事故防止装置を対象としている。
「本願請求項の発明」【０００７】  本願請求項の発明のＡＴ自動車用踏み間違え事故防止装置は、従来のＡＴ自動車のブレーキペダルとアクセルペダルに取り付けた踏み間違え事故防止装置であることを特徴としている。【０００８】  上記のＡＴ自動車のアクセルペダルに高反発素材を使用した装置を取り付けた踏み間違え事故防止装置である。【０００９】  上記のＡＴ自動車のブレーキペダルに分岐するペダルを取り付け左足によるブレーキ操作ができる踏み間違え事故防止装置である。
【発明の効果】
【００１０】  本願請求項のＡＴ自動車用踏み間違え事故防止装置は、従来のＡＴ自動車のアクセルペダルとブレーキペダルに簡易に取り付けることができ、複雑な制御装置や複雑な改造の必要が要らず踏み間違え事故を防止できる効果がある。【００１１】  又、本願請求項のＡＴ自動車用踏み間違え事故防止装置は、従来のＡＴ自動車のアクセルペダルに高反発素材等を取り付けることで錯誤や咄嗟の時にアクセルペダルを強く踏み込む時に高反発素材が作用して強く踏み込めない状態又は、一定の位置で踏み込むことを停止できる構造のために事故を防止することが可能である。【００１２】  又、従来のＡＴ自動車のブレーキペダルに分岐するペダルを取り付けることで、踏み間違えの時でも左足でブレーキを掛けられることで事故を防止することが可能である。【００１３】  さらに、踏み間違え事故防止装置は故障や経年劣化により交換が必要な時、ボルト止めなので容易に交換することが可能である。
【図面の簡単な説明】
【００１４】
【図１】  本願実施例の踏み間違え事故防止装置の全体構成図
【図２】  アクセルペダルの踏み間違え事故防止装置の構成図
【図３】  ブレーキペダルの踏み間違え事故防止装置の構成図
【発明を実施するための形態】
【００１５】  以下、図１〜図３を参照して本願の好適な実施例を説明すると、この実施例のＡＴ自動車用踏み間違え事故防止装置は、アクセルペダルとブレーキペダルに取り付けたものである。
【００１６】  図１にあるアクセルペダル３に取り付ける踏み間違え事故防止装置１は、アクセルペダル３の支柱部分の下部にボルト止めすることにより簡易に取り付けることができる。尚、図２のアクセルペダルの支柱部分が棒状と板状の２種類に対応できる装置１（ａ）と、車体の床部分に取り付けられたアクセルペダル３に被せて取り付ける装置１（ｂ）で対応したものである。
【００１７】  図１にあるブレーキペダル４に取り付ける踏み間違え事故防止装置２は、ブレーキペダル４（ａ）の支柱部分の下部に分岐するペダル４（ｂ）をボルト止めすることにより簡易に取り付けることができる。
【符号の説明】
【００１８】１はアクセルペダルの踏み間違え事故防止装置、２はブレーキペダルの踏み間違え事故防止装置、３はアクセルペダル、４はブレーキペダルである。
【図１】
2017117419.tif 000003
【図２】
2017117419.tif 000004
【図３】
2017117419.tif 000005
(57)【要約】【課題】発電するのに力が少なくて済む様にしたいが発電する電流の磁力の負荷と渦電流の負荷で回転が重くなり多くのエネルギーを無駄にしています  これを軽くする事が出来ます【解決の手段】縦長の磁石の形に合せ中心の隙間をなくし磁石の面より巾を小さく巻いた楕円のコイルを作り  コイルが移動しても次の磁石に振れない様間隔をあけた起電しにくいソレノイドコイルに発電するコアレスの磁石の外を囲むソレノイドコイルの束より出る電流を起電しないソレノイドコイルに流し電磁石にして回転方向へ反発次極に吸引させて負荷を取る磁化しない回転筒の中に鉄板の円筒を入れ  この鉄板の円筒と磁石の間を発電するコイルと起電しにくいコイルを付けた回転筒だけが回る様にする事で渦電流も電流の負荷もなくなります【選択図】図１
2017099246.tif 000002
【特許請求の範囲】
【請求項１】
縦長の磁石一個の正面と同じ大きさで磁石の面に磁力が対向するソレノイドコイルは縦長でコイルの中心の隙間をなくし磁石の面より横巾を小さく巻き磁石から次極へコイルが移動しても二極に振れない間を取り起電しにくいコイルにする磁石を通過しても起電しにくくした  ソレノイドコイルに磁石の外側を囲むコアレスの楕円の発電する  ソレノイドコイルの束より出る電流を流して電磁石にする外枠に付く磁石に対向する起電しにくいソレノイドコイルは磁石の中心より回転方向へ反発次極に吸引させて回転の負荷を取る起電しにくくした  ソレノイドコイルを電磁石にして発電の負荷を減らす事を特徴とする
【請求項２】
この起電しにくいソレノイドコイルを磁化しない回転筒の上に取付けた磁石を囲むコアレスのソレノイドコイルの束の中やコアレスのソレノイドコイルとコアレスのソレノイドコイルの間に配置する  磁石の軌道内だけの回転で起電しにくいソレノイドコイルを使用して負荷を取る
【請求項３】
磁石が丸や四角の時は  起電しにくくする為  細長く楕円に巻いたコイルを回転方向へ縦又は横にし並べて二極にまたがって通過させる
【請求項４】
磁化しない回転筒の中に鉄板の円筒を入れ  中心軸に押入両フタをして中心軸を片側外枠フタに固定する  もう片側は中心軸を外枠の外部に出さず回転棒が外枠の外部に出て回転筒だけが回る
【発明の詳細な説明】
【技術分野】
【０００１】起電しにくいコイルを作る
【背景の技術】
【０００２】回転子の負荷軽減のコイルを作り電気を多く使用しても回転子の回転が重くならず軽く回る様にする
【発明の概要】
【発明を解決する為の課題】
【０００３】簡単で部品も少なくて電気の量を減らさずに回転の負荷を無くす事が必要です  磁力による負荷と渦電流による負荷などで回転子の回転が重くなりエネルギーの無駄が多い磁石にコイルがかかると反発の電流で負荷となるなら  その電流で逆の力が出る起電しないコイルを配置負荷を取る事が出来るので起電しにくいコイルを作り軽く回る様にしました
【課題を解決するための手段】
【０００４】縦長の磁石一個の正面と同じ大きさで磁石の面に対向する  ソレノイドコイルは縦長でコイルの中心の隙間をなくして磁石の面より小さく巻き磁石から次極へコイルが移動しても次極に振れない様にして起電しにくくする
【０００５】磁化しない回転筒の上に付く発電する楕円のソレノイドコイルの束に起電しにくいソレノイドコイルを発電するソレノイドコイルの中心や発電するソレノイドコイルと発電するソレノイドコイルの間に配置する間に置くコイルは少し長くする
【０００６】磁石を通過しても発電しにくいソレノイドコイルに磁石を囲む大きさの発電するソレノイドコイルの束より出る電流を流して電磁石にして対向する磁石の中心より回転方向へ反発次極に吸引させて回転の負荷を取る
【０００７】磁石が丸や四角の時起電しにくくする為細長く楕円に巻いたコイルを回転方向へ縦又は横に並べても良くそれを二極にまたがって通過させる起電しないで電磁石になるコイルならどんな形ちでも良い
【０００８】鉄板の円筒を中心軸に押入しそれを磁化しない回転筒の中へ入れ両側に回転フタと回転棒付フタをして回転筒だけが回る様にした物を外枠フタ左側の穴に押入中心軸を固定します  中心軸は右側外枠フタより短かく回転棒の付いた棒が外枠の穴より出て回転筒だけを回す  両フタを付けた時コイルの線を接点リングに継ぎ外部へ出します
【発明の効果】
【０００９】この起電しにくいソレノイドコイルを使用する事で簡単で部品も少なく済み電流量も減らさず負荷を取る事が出来ます  発電するソレノイドコイル楕円が四個の時  中心に四個起電しにくいコイルを間に四個付ける
【発明を実施するための形態】
【００１０】縦長の磁石（２）の正面と同じ大きさの磁力（２）に対向するソレノイドコイル（６）と（７）は縦長のコイルで中心の隙間をなくし磁石（２）の面より小さく巻き磁石（２）から次極（３）へ起電しにくい  ソレノイドコイル（６）と（７）が移動しても次極に振れない様にする  起電しにくいソレノイドコイル（６）と（７）に磁石を囲む大きさのソレノイドコイルの束  発電するソレノイドコイル（８）より出る電流を流し電磁石にして磁石（２）と（３）に対向する起電しにくいソレノイドコイル（６）と（７）は中心より回転方向へ反発し次極に吸引させ負荷を取る
【００１１】この起電しにくいソレノイドコイル（６）と（７）を磁化しない回転筒（４）の上に取付けた磁石を囲む大きさの楕円のソレノイドコイルの束（８）の中心や発電するソレノイドコイル（８）と発電するソレノイドコイル（８）の間に配置する
磁石の軌道内だけの回転で起電しにくいソレノイドコイル（６）と（７）を使用して負荷を取る
【００１２】磁石（２）と（３）が丸や四角の時起電しにくくする為  細長く楕円に巻いたコイル（９）を縦又は横に重ねる  丸でも良い  これらを（２）と（３）にまたがって通過させる
【００１３】磁化しない回転筒（４）の中に鉄板の円筒（５）を中心軸（１５）に固定して回転筒の中に入れ両側の回転フタ（１１）と（１２）回転棒付のフタをするこれらを外枠フタ（１６）に押入し固定する  中心軸（１５）は片側の外枠フタ（１６）の外へ出さず  回転棒付フタ（１２）を外枠フタ（１６）の外へ出して回転筒（４）だけを回す
【００１４】回転筒（４）の両側を回転フタ（１１）と（１２）を取り付けた時  回転フタ（１１）と（１２）に付いた（１４）にソレノイドコイル（８）と（６）（７）をつないだコイルを（１１）と（１２）に接続（１３）を通って外部へ出す
【産業上の可能性】
【００１５】この起電しないコイルを使用する事で軽さが倍となる為  少しの力でも発電できます
【図面の簡単な説明】
【００１６】
【図１】側面を切断した図
【図２】起電しにくいソレノイドコイル小と大
【図３】縦横にした起電しにくいコイル
【符号の説明】
【００１７】  １  外枠
２  Ｎ極
３  Ｓ極
４  磁化しない回転筒
５  鉄板の円筒
６  起電しにくいソレノイドコイル小
７  起電しにくいソレノイドコイル大
８  発電するソレノイドコイル［コワレス］
９  起電しにくい楕円コイル縦
１０  起電しにくい楕円コイル横向
１１  回転フタ
１２  回転棒付フタ
１３  接点
１４  接点リング
１５  外枠フタ
【図１】
2017099246.tif 000003
【図２】
2017099246.tif 000004
【図３】
2017099246.tif 000005
(57)【要約】【課題】安産の木・子安の木として知られる槐製のマタニティマークを提供する。【解決手段】安産の木・子安の木として知られる槐を用いて製造する。【選択図】なし【特許請求の範囲】
【請求項１】
槐を材料としたマタニティマーク。
【発明の詳細な説明】
【技術分野】
【０００１】    本発明は、槐製マタニティマークに関する。
【背景技術】
【０００２】    国民運動計画「健やか親子２１」推進検討会において、妊娠・出産に関する安全性と快適さの確保を目指し、「マタニティマーク」が発表された。妊産婦が交通機関等を利用する際に身につけ、周囲が妊産婦への配慮を示しやすくすることを目的としている。しかし、その主たる材料といえば、ビニールや革、布であり、素材の観点から妊産婦の利用意欲に訴求することができておらず、各方面で様々な改善策が検討されている。
【発明の概要】
【発明が解決しようとする課題】
【０００３】    マタニティマークの主たる材料といえば、ビニールや革、布であり、素材の観点から妊産婦の利用意欲に訴求することができていない。【０００４】    そこで、本発明は、安産の木・子安の木として知られる槐を材料としたマタニティマークを提供することを目的とする。
【課題を解決するための手段】
【０００５】    本発明に係るマタニティマークは、安産の木・子安の木として知られる槐を材料に用いて製造する。
【発明の効果】
【０００６】    本発明によれば、素材の観点から妊産婦のマタニティマーク利用意欲に訴求することができる。
【産業上の利用可能性】
【０００７】    本発明は、槐製マタニティマークを製造する産業で利用される。
(57)【要約】【課題】  肌に有害でなく、外にもつけて歩け、使用している間は見た目が自然であり、まぶたを押さえることによる眼球への圧迫感を小さくし、大きな二重まぶたを持続すること。【解決手段】  一般的なサングラスやメガネに二重まぶた形成器具をつけ、外出時も利用でき、点でおさえることで、眼球への圧迫感を弱めて強力に押さえることができ、大きな二重まぶたにする効果を持続させる。または、サングラスやメガネ自体が点でまぶたを押さえる機能を持つ。【選択図】図１
2017099839.tif 000002
【特許請求の範囲】
【請求項１】
サングラスやメガネに取り付ける器具を介して、または、サングラスやメガネ自体が、まぶたを押さえることを特徴とする二重まぶた形成器具。
【請求項２】
サングラスやメガネに取り付ける器具を介して、または、サングラスやメガネ自体が、まぶたを点で押さえる棒状の器具を備え、二重まぶたにすることを特徴とする二重まぶた形成器具。
【請求項３】
サングラスやメガネに取り付ける器具を介して、または、サングラスやメガネ自体が、まぶたを点で押さえる棒状の器具を備えており、使用する人の好みに合わせて、調節できることを特徴とする二重まぶた形成用器具。
【発明の詳細な説明】
【技術分野】
【０００１】本発明は、大きな二重まぶた形成するための器具に関する。
【背景分野】
【０００２】二重まぶたにするには、半円形にまぶたを抑える器具や、半円形の粘着シールなどがいろいろあるが、眼球の上を左から右へ長く押さえるので、眼球に圧迫感があり不快である。圧迫感があれば、強力に押さえられない。
【０００３】しかも、半円形にまぶたを押さえる専用の器具は、それをつけて外を歩けない。
【０００４】一方、半円形にまぶたに貼る粘着シールは、汗でとれたり、時間の経過とともにべとべとして、化粧をしていれば、アイシャドーと混ざって化粧崩れが激しい。また、洗い落としたあとも、粘着剤が皮膚に残って不快であり、長く使用するとかぶれることがある。
【発明が解決しようとする課題】
【０００５】解決しようとする課題は、肌に有害でないことと、外出時にも使用でき、見た目が自然であり、二重まぶたにする効果を上げること。
【課題を解決するための手段】
【０００６】そこで、本発明に係わる発明は、一般に利用されているサングラスやメガネに二重まぶた形成器具をつけ、外にもつけて歩けるようにしたものである。
【０００７】そして、一点、または、複数点という点でおさえることで、眼球の上部、眼球を囲む骨のくぼみを確実に押さえることが出来、眼球への圧迫感を弱め、まぶたを強力に抑えて、大きな二重にしようとするものである。
【０００８】また、サングラスやメガネから、まぶたへ伸びる棒の接点や長さを自由に決めて、まぶたを押さえる強さや位置を好みに設定できる。
【発明の効果】
【０００９】本発明の二重まぶた形成器具によれば、肌に有害ではなく、つけている間は二重になり、出かけるときも使用でき、強力に押さえるので取り外したあとも、二重まぶたのあとが持続しやすい。また、位置や長さを調節できるので、最適な押さえる強度を選べる。
【００１０】サングラスやメガネに取り付けることで、今まで実用化されなかった二重まぶた形成器具が日常的に使えるようになる。
【図面の簡単な説明】
【００１１】
【図１】サングラスやメガネのフレーム上部からまぶたへ伸びた一本の棒状が、まぶた上部を押さえる斜視図
【図２】まぶたを押さえる長さの異なる棒状の器具の中から選んで、フレーム上部に一本、または、複数をサングラスやメガネに取り付けた図
【図３】まぶたを押さえる長さの異なる二股棒状の器具の中から選んで、フレーム上部に一つ、または、複数をサングラスやメガネに取り付けた図
【図４】サングラスやメガネのフレーム上部にある器具に、長さの異なる棒状の中から選んで取り付けたり、切断したりして取り付けることを示す説明図
【図５】サングラスやメガネ自体がまぶたを押さえる機能を持ち、棒状ものがあることを示す図
【発明を実施するための形態】
【００１２】図１にあるように、サングラスやメガネの上部フレームに設置する器具の棒状は、まぶたを傷つけない太さがあり、丸みを帯びた形で、柔軟なプラスティックやゴムなどが適し、使用者の好みのまぶたにするために、適当な位置を選んで器具を設置して、まぶたの好きな箇所を押さえる。
【００１３】図２図３にあるように、サングラスやメガネの上部フレームに設置する器具が、一本になっている場合や、二股などの複数本に分かれている場合も有効で、図４の器具に棒状を取り付ける場合は、いくつかの長さのものから適当な長さのものを選択したり、切断したりなどで、ちょうど良くまぶたを押さえる棒状の長さや位置を決定してサングラスやメガネに設置する。
【産業上の可能性】
【００１４】外出時にかける一般的なサングラスやメガネ自体が、まぶたを押さえて二重まぶたにする機能を持つ製品の可能性がある。
【００１５】メガネをレンズなしにすることや、二重まぶた形成器具やメガネのフレームを透明や肌色にすることで、二重まぶたが目立ち、より自然に見える二重まぶた形成器具が実現する可能性がある。
【符号の説明】
【００１６】  １    器具の棒とまぶたの接点
２    めがねと器具の接点
３    まぶたを押さえる棒が一本の器具
４    まぶたを押さえる棒が複数の器具
５    まぶたを押さえる二股の棒の器具
６    まぶたを押さえる二股の棒が複数の器具
７    棒を取り付け可能な場合の器具
８    器具へ装着できるいろいろな長さの棒
９    切断して調節することができる棒
１０    切断して調節することができる棒状器具が複数の場合
１１    まぶたを棒で押さえる機能を持つメガネやサングラスの例
１２    まぶたを棒で押さえる機能を持つメガネやサングラスの例
【図１】
2017099839.tif 000003
【図２】
2017099839.tif 000004
【図３】
2017099839.tif 000005
【図４】
2017099839.tif 000006
【図５】
2017099839.tif 000007
(57)【要約】【課題】乳幼児が口に入れても安全なシリコンゴム製おもちゃホルダーを提供する。【解決手段】乳幼児が口に運んでも問題ないとされるシリコンゴム素材のみを用いて製造する。【選択図】なし【特許請求の範囲】
【請求項１】
シリコンゴムにより形成されたおもちゃホルダー。
【発明の詳細な説明】
【技術分野】
【０００１】    本発明は、シリコンゴム製おもちゃホルダーに関する。
【背景技術】
【０００２】    近年、紐の片端をバギーや抱っこ紐、もう片端をおもちゃに取り付けることにより、乳幼児がおもちゃから手を離しても落下して紛失しないようにする便利グッズとして、おもちゃホルダーの利用が浸透しつつある。しかし、それらおもちゃホルダーは乳幼児に無害な素材で作られているわけではなく、周囲にある様々なものを触ったり口に入れたりして遊ぼうとする乳幼児にとって健康上および衛生上の問題が発生している。また、親にとっても、そのような乳幼児の行動に心配な面もあることから、各方面で様々な改善策が検討されている。
【発明の概要】
【発明が解決しようとする課題】
【０００３】    近年、おもちゃホルダーの利用が浸透しつつあるが、口に入れても問題ないとされる素材でできた製品がないため、乳幼児が口に運んでしまった場合の危険性が解決できていない。【０００４】    そこで、本発明は、乳幼児が口に入れても安全なシリコンゴム製おもちゃホルダーを提供することを目的とする。
【課題を解決するための手段】
【０００５】    本発明に係るおもちゃホルダーは、乳幼児が口に運んでも問題ないとされるシリコンゴム素材のみを用いて製造する。
【発明の効果】
【０００６】    本発明によれば、乳幼児が口に入れても安全なおもちゃホルダーを利用することができる。
【産業上の利用可能性】
【０００７】    本発明は、シリコンゴム製おもちゃホルダーを製造する産業で利用される。
(57)【要約】【課題】履物の底の一部に出っ張りを設け、履物を履いて使用することにより体のバランスを保つ能力を鍛える、また普段使わない筋肉を鍛えることが出来るようにした底の一部に出っ張りを持つ履物を提供する。【解決手段】履物の底（１）の一部に出っ張り（２）を設けることにより、履物を履いて使用することにより体のバランスを保つ能力を鍛える、また普段使わない筋肉を鍛えることが出来るようにした底の一部に出っ張りを持つ履物を特徴とする。【選択図】図１
2017099840.tif 000002
【特許請求の範囲】
【請求項１】
履物の底（１）の一部に出っ張り（２）を設けた底の一部に出っ張りを持つ履物。
【発明の詳細な説明】
【技術分野】
【０００１】この発明は、履物の底の一部に出っ張りを設け、履物を履いて使用することにより体のバランスを保つ能力を鍛える、また普段使わない筋肉を鍛えることが出来るようにした底の一部に出っ張りを持つ履物に関するものである。
【発明の概要】
【発明が解決しようとする課題】
【０００２】従来の履物は底が平らに出来ており足の裏全体で地面に接するものであった、これは安定に足を支えるのには適していたが体のバランスを保つ能力を鍛える、また普段使わない筋肉を鍛えるには不向きであった。
【課題を解決するための手段】
【０００３】履物の底（１）の一部に出っ張り（２）を設ける。本発明は、以上の構成よりなる、底の一部に出っ張りを持つ履物である。
【発明を実施するための最良の形態】
【０００４】  以下、本発明の実施の形態について説明する、履物の底（１）の中心より前方に半球状の出っ張り（２）を取り付ける。
【効果】
【０００５】  履物の底（１）の中心より前方に半球状の出っ張り（２）を取り付けた場合には、履いて立つ際に足の前方に力を入れて立つ必要があり、脹脛等の筋肉を鍛えることが出来る。また出っ張り（２）部分のみを接地させて立つことによりバランスの能力を鍛える、またバランスを取ることにより普段使わない筋肉を鍛えることができる。
【図面の簡単な説明】
【図１】本発明を横から見た図である
【図２】本発明を下から見た図である。
【符号の説明】１  履物の底    ２  出っ張り
【図１】
2017099840.tif 000003
【図２】
2017099840.tif 000004